(57)【要約】【課題】連続使用してもクリーミーな泡を連続して有効に泡立てることができると共に、耐久性に優れ、長期の使用が可能で、また衛生上の問題が生じることもない泡立て用サーバーを提供する。【解決手段】ビールが収容された缶Ｃに装着してその缶Ｃ内のビールを受入れることが可能なキャップ状の本体２を備え、この本体２の一部には注入口１０が形成され、本体２内にはビールとの接触が可能な泡立て部材としての炭材１１が収納されている。缶Ｃ内のビールを飲用する際には、缶Ｃ内のビールを本体２内に受入れ、炭材１１と接触させて注入口１０から流出させる。ビールが炭材１１と接触することにより泡立ちが促進され、かつクリーミーな泡となって注入口１０から流出する。泡立て部材が炭材１１であるから、クリーミーな泡を連続して有効に泡立てることができると共に、耐久性に優れ、長期の使用が可能となる。【選択図】　　図２
0003100108.tif 000002
【実用新案登録請求の範囲】
【請求項１】
発泡飲料が収容された容器に装着してその容器内の発泡飲料を受入れることが可能なキャップ状の本体を備え、この本体の一部には注入口が形成され、前記本体内には前記発泡飲料との接触が可能な炭材からなる泡立て部材が収納され、前記発泡飲料を前記泡立て部材と接触させて前記注入口から流出させることが可能なことを特徴とする泡立て用サーバー。
【考案の詳細な説明】
【０００１】
【考案の属する技術分野】
この考案は、缶等の容器入りビールや発泡酒を飲用する際にその容器に取り付けて使用する泡立て用サーバーに関する。
【０００２】
【従来の技術】
家庭等で缶入りのビールや発泡酒を飲用する際には、その発泡飲料を缶から単にグラスに注入して飲用しているのが一般的である。ビールや発泡酒を飲用する際には、その注入時の泡立ちがよく、かつクリーミーな泡となることが口当たりよく飲用する点で望ましい。
そこで、最近、素焼の陶器を泡立て部材として用いる発泡飲料注入用のサーバーが提供されるようになってきている。このサーバーは、発泡飲料が収容された容器に取り付けて使用するもので、内部に素焼の陶器からなる泡立て部材を備え、発泡飲料を注入する際に、その発泡飲料を前記泡立て部材に接触させ、その接触で泡立ちを促進させるようにしたものである。
【０００３】
【考案が解決しようとする課題】
素焼の陶器は、その表面の微細な凹凸に基づいて、発泡飲料を泡立たせる機能を有するが、素焼の陶器は多孔質でなくその表面に微細な凹凸を有するだけであり、このため使用当初はクリーミーな泡を泡立たせることができるが、１リットル程度の発泡飲料に使用すると、表面に飲料がしみ込んで飽和状態となり、クリーミーな泡を立てる機能が大幅に低下してしまう。
【０００４】
この場合、素焼の陶器をサーバーから取り出し、水洗いし、天日で乾燥させなければならず、このため連続使用に向かず、使い勝手が悪く、また素焼の陶器は脆く劣化し易く、このためサーバーに対して着脱する際に破損し易く、繰り返しての使用が難しくなる。
【０００５】
さらに、素焼の陶器は使用に応じて黄ばみや黒ずみが生じる衛星上の問題があり、一定の使用ごとに煮沸消毒が必要となる。そしてその煮沸消毒により泡立て機能が低下し、このため長期の使用が困難となる。
【０００６】
一方、素焼の陶器は無機物であり、このため単に泡立ちをよくするだけで、発泡飲料の味についての感覚を変えるようなことはできない。
【０００７】
そこで、この考案は、連続使用してもクリーミーな泡を連続して有効に泡立てることができると共に、耐久性に優れ、長期の使用が可能で、また衛生上の問題が生じることもなく、さらに発泡飲料の味についての感覚も変えて口当たりよく発泡飲料を飲用することができる泡立て用サーバーを提供することを目的としている。
【０００８】
【課題を解決するための手段】
この考案の泡立て用サーバーは、発泡飲料が収容された缶等の容器に装着してその容器内の発泡飲料を受入れることが可能なキャップ状の本体を備え、この本体の一部には注入口が形成され、前記本体内には前記発泡飲料との接触が可能な炭材からなる泡立て部材が収納されている。
【０００９】
容器に収容された発泡飲料を飲用する際には、泡立てサーバーをその容器に装着し、容器内の発泡飲料を本体内に受入れ、前記炭材と接触させて前記注入口から流出させる。発泡飲料が泡立て部材としての炭材と接触することにより泡立ちが促進し、かつクリーミーな泡となって注入口から流出し、さらに泡立て部材としての炭材により発泡飲料にミネラル分が溶け込んで旨味が増し、かつ人体に好影響を及ぼすマイナスイオンが発生する。
【００１０】
【考案の実施の形態】
以下、この考案の一実施形態について図面を参照して説明する。
図１には、発泡飲料としてのビールが収容された缶Ｃに泡立て用サーバー１を取り付けた状態の側面図を、図２にはその取り付け部分の断面図をそれぞれ示してある。
【００１１】
泡立て用サーバー１は、ドーム形をなすキャップ状の本体２を有し、この本体２の下面に底蓋３が取り付けられている。本体２は比較的硬質の合成樹脂で形成され、底蓋３は比較的軟質の合成樹脂で形成されている。
【００１２】
底蓋３は、環状の周壁部４と、この周壁部４の内側に水平に広がる底壁部５とを一体に有し、前記周壁部４を介して前記本体２が缶Ｃの上端部に脱着可能に取り付けられている。すなわち、前記周壁部４が缶Ｃの上端の外周縁に弾性的に圧入されている。そして前記底壁部５で缶Ｃの上端面が覆われている。
【００１３】
図３には底蓋３を上から見た平面図を示してあり、この図３に示すように、底蓋３の底壁部５には二つの開口６，７が形成されている。
【００１４】
本体２の周面の一部には、図１および図２に示すように、その外方にほぼ水平に突出する注入口１０が一体に形成されている。また、本体２の内部には泡立て部材としての炭材１１が収納されている。この炭材１１としては、黒炭、白炭、竹炭等を用いる。黒炭は、木を４００〜７００℃程度の比較的低温度で焼いたものである。白炭は、１０００℃以上の高温で焼いた部分のもので、非常に硬い。竹炭は竹を焼いて炭にしたものである。このサーバーに用いる炭材１１としては、いずれの炭でもよいが、特に好ましいのは白炭である。
【００１５】
炭材１１は、一定の長さを有するスティック状に加工され、前記本体２内の中央側から前記注入口１０内に挿入されている。炭材１１と注入口１０の内壁面との間には、図４に示すようにビールが充分に流通し得る空間が確保されている。また、本体２内の中央部内面には炭材１１の抜け止めを図る突起１２が一体に突出形成されている。この突起１２は炭材１１の端面と対向する面が幅広となっている。
【００１６】
缶Ｃは、図２および図３に示すように、その上端面にプルタブＣ１の引き上げにより開放可能な排出口Ｃ２が設けられている。
【００１７】
缶Ｃ内のビールを飲用する際には、まずプルタブＣ１を引き上げて排出口Ｃ２を開放する。次に、泡立て用サーバー１の周壁部４を缶Ｃの上端の外周縁に圧入して泡立て用サーバー１を缶Ｃに取り付ける。
【００１８】
この後、泡立て用サーバー１が下方を向くように缶Ｃを傾け、缶Ｃ内のビールを注入口１０を通してグラス内に注入する。この際、缶Ｃ内のビールは排出口Ｃ２から開口６，７を通して本体２内に流入し、さらにこの本体２から注入口１０を通してグラス内に流出する。
【００１９】
ビールが本体２内に流入した際には、ビールが炭材１１に接触する。炭材１１は微細な空洞を有する多孔質であるからその接触に応じてビールの泡立ちが促進され、かつその泡の粒子が細かくなってクリーミーとなり、この泡を含むビールがグラス内に注入される。
【００２０】
したがってグラス内にはビールの液の上にほどよい量のクリーミーな泡が溜まり、このため口当たりよく、そのビールを飲むことができる。
【００２１】
炭材１１は、素焼の陶器と異なり、内部に微細な空洞をもつ多孔質材であり、このためビールが継続して接触しても飽和状態となることがなく、したがって多量のビールに対して連続して使用してもクリーミーな泡を泡立てる機能が低下しない。
【００２２】
このため、素焼の陶器の場合のように、こまめにサーバーから取り出して乾燥させるような面倒な作業が不要で、使い勝手が大幅に向上する。また、炭材１１は素焼の陶器に比べて硬質で強度が高く、このためその破損を防止して長期に渡って繰り返して使用でき、さらに炭材１１は衛生上無害であるから、衛生的に使用することができる。
【００２３】
一方、炭材１１は、炭素とミネラルで構成されており、このためビールが炭材１１に接触する際にそのミネラル分がビール中に溶け込み、したがってビールの旨味が増し、さらにビールが炭材１１に接触することで人体に好影響となるマイナスイオンが発生する。
【００２４】
なお、この泡立て用サーバー１はビール入りの容器に取り付けて使用する場合に限らず、発泡酒等の発泡飲料入りの容器に取り付けて使用することもできる。
【００２５】
【考案の効果】
以上説明したようにこの考案の泡立て用サーバーよれば、泡立て部材として炭材を用いることにより、クリーミーな泡を連続して有効に泡立てることができると共に、耐久性に優れ、長期の使用が可能となり、また衛生上の問題が生じることもなく、さらに泡立て部材としての炭材により発泡飲料にミネラル分が溶け込んで旨味が増し、かつ人体に好影響を及ぼすマイナスイオンが発生する。
【図面の簡単な説明】
【図１】この考案の一実施形態に係る泡立て用サーバーをビール入りの缶に装着したときの状態を示す側面図。
【図２】その泡立て用サーバーの内部構造を示す断面図。
【図３】その泡立て用サーバーにおける底蓋を上から見た平面図。
【図４】図１中のＡ−Ａ線に沿う断面図。
【符号の説明】
１…泡立て用サーバー
２…本体
３…底蓋
４…周壁部
５…底壁部
６，７…開口
１０…注入口
１１…炭材
Ｃ…缶
Ｃ１…プルタブ
Ｃ２…排出口
【図１】
0003100108.tif 000003
【図２】
0003100108.tif 000004
【図３】
0003100108.tif 000005
【図４】
0003100108.tif 000006